(57)【要約】【課題】メニューや時間等の加熱条件設定時の操作性の向上を図る。【解決手段】加熱調理器のメニュー・設定ボタンを回し、表示器１５に［手動調理］を表示し、さらにボタンを押圧操作して決定する。この表示から、メニュー・設定ボタンを回して［レンジ］を選択し、これを決定する。［レンジ］の表示でメニュー・設定ボタンを回し、１−２の表示で仕上がり温度を設定し、レンジで設定温度まで加熱するお好み温度を選択する。さらに、メニュー・設定ボタンを操作し、順次加熱モードを選択し、１−５では手動の［石窯オーブン］が選択された状態を示す。メニュー・設定ボタンをさらに操作し、１−１６は［手動設定］最後の［こんがりプレート］の表示である。これからさらにメニュー・設定ボタンを回すと、［手動設定］最初の１−１の選択に戻る。これを特定の加熱条件として「ピロロ」の報知音を発生する。【選択図】図９
2012042179.tif 000002
【特許請求の範囲】
【請求項１】
調理容器内に収容された食材を加熱する加熱する加熱手段と、
前記加熱手段の加熱条件を少なくとも回転操作を含む操作により設定する加熱条件設定手段と、
前記加熱条件設定手段に基づき設定された加熱条件の設定値を表示する表示手段と、
前記加熱条件設定手段に基づく加熱条件で加熱を開始させる加熱開始指示手段と、
少なくとも前記加熱条件設定手段の操作時の報知や加熱の終了時、異常時に報知を行う報知手段と、を具備し、
前記報知手段は、前記加熱条件設定手段の回転操作により加熱条件を設定する場合、予め決められた特定の加熱条件に達したときに、特定の報知を行うことを特徴とする加熱調理器。
【請求項２】
前記加熱条件設定手段は、加熱条件を設定する機能と、加熱条件を決定する機能を有し、前記特定の加熱条件を設定したときの報知音は加熱条件を決定したときの報知音と異なることを特徴とする請求項１記載の加熱調理器。
【請求項３】
複数の手動設定による加熱メニューまたは複数の自動設定による加熱メニューを搭載し、前記加熱条件設定手段の操作で複数のメニューから目的のメニューを選択することができ、同一方向に回転操作し続けた場合に最後のメニューの次は最初のメニューに戻り、逆方向に操作し続けた場合は最初のメニューの次に最後のメニューが選択され、最初のメニューに戻った場合に特定の報知を行うことを特徴とする請求項１または２記載の加熱調理器。
【請求項４】
メニュー選択されていない状態から、前記加熱条件設定手段の回転操作により最初のメニューが選択された状態になったときは特定の報知は行わないことを特徴とする請求項３記載の加熱調理器。
【請求項５】
手動設定による加熱メニューのうち一つを選択して確定した場合には、前記加熱条件設定手段の回転操作により加熱時間や加熱温度を設定するようになり、前記加熱条件設定手段の回転操作により最小値または最大値に到達した後も同一方向に回した場合は、値を変更せず、最小値または最大値に到達したときに特定の報知を行うことを特徴とする請求項１〜４いずれかに記載の加熱調理器。
【発明の詳細な説明】
【技術分野】
【０００１】
この発明は、選択した調理メニューに応じて調理容器内の食材を加熱する加熱調理器に係り、特に目の不自由な人にも好適な加熱調理器に関する。
【背景技術】
【０００２】
従来の加熱調理器は、調理メニューを表示器に表示させ、操作つまみの操作信号が入力された旨を報知させたり、残り時間や調理の終了を報知させたりし、使用者に操作状態や終了等を知らせている。
【先行技術文献】
【特許文献】
【０００３】
【特許文献１】特開２００５−１７２２６６公報
【発明の概要】
【発明が解決しようとする課題】
【０００４】
従来の技術は、操作命令が確実に入力されたかを知らせたり、調理の途中や終了等を知らせたりしている。各条件で知らせる音を変えたりもしている。しかしながら、例えばある表示が順次変更されて行き、初めの状態に戻る循環型の操作の場合には一巡したことの報知がなかったり、あっても区別ができなかったり、するという問題があった。
【０００５】
この発明の目的は、メニューや時間等の加熱条件の設定をするときの操作性の向上を図った加熱調理器を提供することにある。
【課題を解決するための手段】
【０００６】
上記した課題を解決するために、この発明の加熱調理器は、調理容器内に収容された食材を加熱する加熱する加熱手段と、前記加熱手段の加熱条件を少なくとも回転操作を含む操作により設定する加熱条件設定手段と、前記加熱条件設定手段に基づき設定された加熱条件の設定値を表示する表示手段と、前記加熱条件設定手段に基づく加熱条件で加熱を開始させる加熱開始指示手段と、少なくとも前記加熱条件設定手段の操作時の報知や加熱の終了時、異常時に報知を行う報知手段と、を具備し、前記報知手段は、前記加熱条件設定手段の回転操作により加熱条件を設定する場合、予め決められた特定の加熱条件に達したときに、特定の報知を行うことを特徴とする。
【図面の簡単な説明】
【０００７】
【図１】この発明の加熱調理器に関する第１の実施形態について説明するための外観斜視図である。
【図２】図１の表示器の表示例について説明するための説明図である。
【図３】図１の自動調理表示部の表示例について説明するための説明図である。
【図４】図１の扉を開いた状態の正面図である。
【図５】図４の断面図である。
【図６】概略的な電気的構成について説明するためのブロック図である。
【図７】報知音を発生させるパルス信号について説明するための説明図である。
【図８】加熱調理器の状態を見分ける報知音例について説明するための説明図である。
【図９】加熱調理器を加熱モードに選択したときの表示例について説明するための説明図である。
【図１０】加熱条件を設定する表示例について説明するための説明図である。
【図１１】加熱条件を設定する表示例について説明するための説明図である。
【図１２】加熱調理器で自動加熱を選択した後に決定した場合の表示例について説明するための説明図である。
【図１３】加熱調理器で自動加熱を選択した後に決定した場合の表示例について説明するための説明図である。
【図１４】加熱調理器で加熱条件設定時の表示例について説明するための説明図である。
【図１５】加熱調理器で加熱条件設定時の表示例について説明するための説明図である。
【図１６】図１４の次段階の加熱条件設定表示例について説明するための説明図である。
【図１７】図１５の次段階の加熱条件設定表示例について説明するための説明図である。
【発明を実施するための形態】
【０００８】
以下、この発明を実施するための形態について、図面を参照しながら詳細に説明する。
【０００９】
図１〜図５は、この発明の加熱調理器に関する一実施形態について説明するための、図１は外観について説明するための斜視図、図２は図１の表示器の表示例について説明するための説明図、図３は図１の自動調理表示器の表示例について説明するための説明図、図４は扉を開いた状態の正面図、図５は図４の側断面図である。
【００１０】
図１において、１１は、加熱調理器１０の本体１２の前面のほぼ全体を覆い、上から手前に開閉自在に取り付けられた扉である。本体１２の上部には扉１１を開閉するときに手をかけるハンドル１３が取り付けられ、扉１１の下部には操作パネル１４が取り付けられている。操作パネル１４には設定内容や調理の進行状況などを表示する手段である表示器１５、調理条件を設定するための加熱条件設定手段であるメニュー・設定ボタン１６、調理の開始を指示する手段である調理スタートキー１７、設定を取り消したり調理を中止したりするための手段である取消キー１８がある。さらに、操作パネル１４の上方には、自動調理のメニューを表示する手段である自動調理表示器１９がある。
【００１１】
メニュー・設定ボタン１６は、時計あるいは反時計方向に回転操作および押圧操作することが可能で、加熱条件の設定を行うものである。その回転角度で発生させるパルス信号の周波数を変えることで、表示器１５および自動調理表示器１９に表示される表示の切り換えるとともに、切り換え速度を変化させることができる。また、メニュー・設定ボタン１６は、押圧操作することにより選択されたメニューを決定させることができる。メニュー・設定ボタン１６の回動操作の検知に関しては、クリック感のあるエンコーダで構成し、１クリック毎に加熱条件が変更される。メニュー・設定ボタン１６の押圧操作の検知に関しては、タクトスイッチで構成されている。
【００１２】
図２は、表示器１５の具体的な表示例について説明するための説明図である。表示器１５には、加熱条件である加熱モードを表示する領域１５ａ、温度・出力・自動メニューを表示する領域１５ｂ、付属品の状態を表示する領域１５ｃ、時間・仕上がり調節を表示する領域１５ｄ、情報表示の領域１５ｅ、にグルーピングされ、個々の表示内容が配置されている。
【００１３】
図３は、自動調理表示部１９の具体的な表示例について説明するための説明図である。自動調理表示部１９には、搭載されている自動調理のメニュー名が順番に並んでおり、対応するメニュー番号がメニュー名の左側に配置されている。白黒反転表示は、自動調理のグループ名の表示である。
【００１４】
白黒反転表示のグループ名は、例えば［あたため］、［お惣菜］、［パン工房］、［スイ―ツ］、［お手入れ］である。［あたため］としては「１：スピード、２：ソフト、３スチーム、４牛乳・・・」であり、［お惣菜］としては「１２：焼きそば、１３：グラタン：、１４：焼き野菜・・・」であり、［パン工房］としは「２９：フランスパン、３０：メロンパン、３１：ベーグル・・・」であり、［スイ―ツ］としては「３６：クッキー、３７：シュークリーム、３８：スポンジケーキ・・・」であり、さらに［お手入れ］としては「４３：お手入れ、４４：水抜き、４５：脱臭」である。使用者は各自動調理のメニューを選択することで、所望の調理を自動的に設定することができる。
【００１５】
図４、図５に示すように、加熱調理器１０は前面を開放した矩形状の外箱４１内に、同じく前面を開放した矩形状の内箱４２を固定して構成されている。内箱４２の内部は加熱室４３とされ、この加熱室４３の前面開口部は、上下に回動する扉１１によって開閉されるようになっている。
【００１６】
加熱調理器１０の背部には、外箱４１と内箱４２との間に位置する機械室４４が形成されており、この機械室４４の下部には、マイクロ波による加熱手段となるマグネトロン４５の他、図示しないマグネトロン４５の電源装置、マグネトロン４５や電源装置を冷却する冷却ファン装置などが配設されている。マグネトロン４５はマイクロ波を発生するもので、発生したマイクロ波は、内箱４２の下面に配設された導波管４６を通して内箱４２の底部に形成された励振口４７から加熱室４３内に供給されるようになっている。
【００１７】
内箱４２の底部内側には段部４８が形成され、この段部４８にガラス板或はセラミックス板から形成された底板４９が載置されている。この底板４９は、実質的に加熱室４３の底面を構成するもので、この底板４９の下方の空間には、励振口４７から供給されたマイクロ波を反射撹拌するための回転アンテナ５０が配設されている。また、底板４９の下方の空間には、回転アンテナ５０を取り巻くようにしたシースヒータなどにより電熱加熱手段となる下ヒータ５１が配設されるとともに、内箱４２の上部には、面状ヒータなどにより電熱加熱手段となる上ヒータ５２が配設される。これらの上および下ヒータ５２，５１は、オーブンヒータとして機能する。
【００１８】
一方、内箱４２の背面には、熱風発生装置５３のケーシング５４が固定されており、このケーシング５４内には、ファンモータ５５によって駆動される遠心型のファン５６および熱風用ヒータ５７が配設されている。そして、加熱室４３の後面である内箱４２の後面壁には、ファン５６の中心側に対応位置して多数の小孔からなる吸気口５８が形成されていると共に、吸気口５８の上下両側部分に位置して同じく多数の小孔からなる吐気口５９が形成されている。
【００１９】
上記の熱風発生装置５３において、ファン５６が回転すると、加熱室４３内の空気が吸気口５８からケーシング５４内に吸引され、そして熱風用ヒータ５７により加熱されて上下の吐気口５９から加熱室４３内に吐出される。このような熱風の循環によって加熱室４３内が加熱されてオーブン調理が行われる。オーブン調理では、加熱室４３内にオーブン調理皿を上下２段に配置することができるが、上記のように上下の吐気口５９から同等量の熱風が供給されることによって、上下に配置されたオーブン調理皿上の食品が共に良好に調理することができる。
【００２０】
内箱４２は鉄板などの金属板製のもので、前面部の矩形状のフランジ板６０、上面板６１、後面板６２、左側板６３、右側板６４および底面板６５からなる。そのうち、上面板６１および後面板６２は、一枚の板材をほぼＬ字形に折曲して形成されている。そして、これらの板６０〜６５は互いに溶接などによって接合され、前面部のフランジ板６０が外箱４１に溶接などによって接合されている。
【００２１】
かかる内箱４２の上部稜角部のうち上部後側の稜角部、換言すれば、一枚の板から形成された上面板６１および後面板６２の境界部は、後側に向って下降する傾斜面６６に形成されている。そして、その傾斜面６６の横（左右）方向中央部には、図示しない赤外線検知用の窓が開口形成されており、その窓に望むようにして温度検知手段である赤外線センサ６７が配置されている。
【００２２】
次に、図６のブロック図を参照し、加熱調理器１０の概略的な電気的構成について説明する。
【００２３】
７１は、例えばマイクロコンピュータを主体に構成される制御部である。この制御部７１は、設定内容や調理の進行状況などを表示する表示器１５、調理条件を設定するための調理条件を設定するための加熱条件設定手段であるメニュー・設定ボタン１６、調理の開始の指示手段である調理スタートキー１７、設定を取り消したり調理を中止したりするための取消指示手段である取消キー１８、自動調理のメニューを表示する手段である自動調理表示器１９をそれぞれ駆動する。これら各部は加熱調理器１０の各構成に相当部分には同符号を付している。
【００２４】
それに、レンジ加熱を行うためのマイクロ波加熱部７２、ヒータ加熱を行うためのヒータ加熱部７３、調理の終了等をピエゾスピーカ等の報知手段により使用者に知らせるブザー報知部７４、加熱室内の温度を検出する温度センサ７５、扉の開閉状態を検知する扉開閉センサ７６から構成される。
【００２５】
ここで、図７、図８を参照し、制御部７１から報知のためのパルス信号を生成してブザー報知部７３を報知させる場合に、異なる報知信号により報知音で加熱調理器１０の状態を見分ける報知音例について説明する。
【００２６】
図７（Ａ）の１９７６Ｈｚと０Ｈｚの周波数の音を１回だけ５０ｍｓ発生させた場合は、図８の報知音Ｓ１の「ピッ」となる。この報知音Ｓ１の使用例としては、つまみ操作時の各クリック音とする。
【００２７】
図７（Ｂ）の１７６０Ｈｚと１８６５Ｈｚをそれぞれ１００ｍｓ、１９７６Ｈｚを２００ｍｓの時間で異なる音域を連続して１回だけ発生させた場合は、図８の報知音Ｓ２の「ピロロ」となる。この報知音Ｓ２の使用例としては、操作前のメニュー表示を基準位置とし、メニュー・設定ボタン１６の操作後基準位置に戻ったときとする。具体的には表示器１５の［レンジ］が選択され、メニュー・設定ボタン１６を操作して順次表示が切り換わって再び［レンジ］に戻ったときの報知音として用いる。
【００２８】
図７（Ｃ）の１９７６Ｈｚと０Ｈｚをそれぞれ１５０ｍｓｅｃで、７回繰り返して発生された場合は、図８の報知音Ｓ３の「ピッピッピッピッピッピッピッ」となる。この報知音Ｓ３の使用例としては、故障やユーザの誤使用それに注意用として使用する。
【００２９】
また、１９７６Ｈｚの周波数を１回１５０ｍｓｅｃだけ発生させた場合は、図８の報知音Ｓ４の「ピ」となる。この報知音Ｓ４の使用例としては、報知音Ｓ２が使用されるキー操作以外のキー操作で使用する。
【００３０】
図７（Ｄ）の１９７６Ｈｚと０Ｈｚがそれぞれ５００ｍｓで、１回だけ発生させた場合は、図８の報知音Ｓ５の「ピー」となる。この報知音Ｓ５は、メニュー・設定ボタン１６を操作したときに、最大・最小値のときに止まる場合で、最大または最小の値を知らせるときに使用する。
【００３１】
また、１９７６Ｈｚと０Ｈｚがそれぞれ５００ｍｓで、３回だけ発生させた場合は、図８の報知音Ｓ６の「ピーピーピー」となる。この報知音Ｓ６は、調理が終了したことを知らせる場合に使用する。
【００３２】
さらに、１９７６Ｈｚと０Ｈｚがそれぞれ５００ｍｓで、５回だけ発生させた場合は、図８の報知音Ｓ７「ピーピーピーピーピー」となる。この報知音Ｓ７は、予熱が終了したことを知らせる場合に使用する。
【００３３】
図９は、加熱調理器１０を加熱モードに選択したときの表示例について説明するための説明図である。
【００３４】
まず、表示器１５に［手動設定］を呼び出す。この呼び出しは、メニュー・設定ボタン１６を時計方向に回し操作して発生した駆動パルスを制御部７１に供給し、表示器１５から［手動設定］を選択して表示させ、［手動設定］の表示がされたところでメニュー・設定ボタン１６を押圧操作して決定する。
【００３５】
この表示状態から、同じようにしてメニュー・設定ボタン１６を回して、［レンジ］を選択し、押して決定する。［レンジ］が表示されたところで、メニュー・設定ボタン１６を回すと、図９の１−２で示すように、仕上がり温度を設定してレンジで設定温度まで加熱する［お好み温度］が選択される。
【００３６】
さらに、メニュー・設定ボタン１６を回していくと、順次加熱モードが選択され、図９の１−５では手動の［石窯オーブン］が選択されたときの表示を示している。メニュー・設定ボタン１６をさらに操作し、図９の１−１６は、［手動設定］最後である［こんがりプレート］が選択されたときの表示である。さらにメニュー・設定ボタン１６を回すと、［手動設定］最初の図９の１−１の選択に戻る。
【００３７】
このとき、制御部７１は、特定の加熱条件とし判断し、ブザー報知部７４に対して報知音Ｓ２の「ピロロ」を発生させる図７（Ｂ）のパルス信号を出力する。
【００３８】
このように、操作で複数の選択項目がある場合に、基準となる項目を選択した場合に報知するため、項目を選択しているとき加熱条件の設定が行いやすく、例えば目の不自由な方でも容易な操作が可能となる。
【００３９】
図１０、図１１は、手動設定で加熱条件を設定する表示例について説明するための説明図である。
【００４０】
図１０の１−１−１は、図９の１−１の［レンジ］選択時にメニュー・設定ボタン１６を押圧操作して［レンジ］を確定した後の最初の［出力設定］を行う段階の出力表示で、まず［６００Ｗ］が選択されている。この状態からメニュー・設定ボタン１６を回すと、図１０の１−１−２で示すように、［５００Ｗ］となる。同様にしてメニュー・設定ボタン１６を回して２００Ｗや１０００Ｗなどに変更することができる。
【００４１】
また、図１１は、手動設定で加熱条件を設定する表示例として図９の１−１の［レンジ］選択時に、［石窯オーブン］を選択したときの最初の温度設定を行う段階の表示で、まず［１８０℃］が選択されている。この状態からメニュー・設定ボタン１６を回すと、［１９０℃］などに温度を変更することができ、変更された温度が表示される。
【００４２】
このように、手動設定によりレンジや石窯オーブンを確定するときにメニュー・設定ボタン１６を押圧操作して決定した場合の制御部７１は、ブザー報知部７４に対して図８の報知音Ｓ４の「ピ」を発生させる図７（Ｃ）のパルス信号を１回だけ出力する。
【００４３】
この場合は、手動設定によりレンジや石窯オーブンの温度を設定するときのキー操作音として鳴らすことができることから、キー操作の判別に寄与する。
【００４４】
図１２、図１３は、自動メニューを選択した後に、決定した場合の表示例であり、図６〜図８とともに説明する。
【００４５】
図１２において、メニュー・設定ボタン１６を回して自動加熱の最初の加熱条件を設定するときに使用する表示の部分で、［自動メニュー］の［１］番を表示する。さらにメニュー・設定ボタン１６を回すと順次メニューが選択され、それに応じてメニュー番号表示が切り換わる。Ｊ１−４５は、最後の自動調理メニューである自動調理表示器１９の［４５］番の［脱臭］を選択中の表示状態を示し、さらにメニュー・設定ボタン１６を回すと、最初の図１２のＪ１−１に示す［１］番のメニューが選択される。このときに、制御部７１は、ブザー報知部７４に対して図８の報知音Ｓ２の「ピロロ」を発生させる図７（Ｂ）のパルス信号を１回だけ出力する。
【００４６】
また、［１］番を［自動メニュー］で選択中にメニュー・設定ボタン１６を反時計方向に回すと、自動調理表示器１９の最後の［４５］番のメニューが選択される。［自動メニュー］で［２］番のメニューを選択中に、メニュー・設定ボタン１６を反時計方向に回して［１］番のメニュー選択になった場合も、図８の報知音Ｓ２の「ピロロ」を発生させる図７（Ｂ）のパルス信号を１回だけ出力する。
【００４７】
図１３では、メニュー・設定ボタン１６を操作し、自動調理表示器１９の［１］番の［スピードあたため］を選択し、決定した場合の表示例を示している。手動の２番目の加熱条件の表示を行う部分で、［仕上がり］調節の設定表示を行う。最初は［標準］が選択されているが、メニュー・設定ボタン１６を回すと、［強め］［１］など［仕上がり］調節の設定値が切り換わり、それに応じて表示も切り換わる。
【００４８】
この場合、自動加熱モードの選択性が向上する。
【００４９】
図１４、図１５は、それぞれ加熱条件設定時の表示例を示している。加熱モードとしては、複数の手動設定による加熱と複数の自動メニューによる加熱があり、最初にメニュー・設定ボタン１６で、手動設定か、または、自動メニューかを選択する。
【００５０】
手動設定が選択されたときは、図１４のように表示器１５の手動加熱モードの表示が全て点灯する。自動メニューが選択されたときは、自動メニューの一覧を表示する自動調理表示器１９がバックライトで照らされて、メニュー一覧が確認できるようになっている。
【００５１】
そこで、図１４の手動設定のときにメニュー・設定ボタン１６が押圧操作されると、図１２のＪ１−１の［１］番のメニュー選択の状態になる。このときは、特定のブザー報知ではなく制御部７１は、図８の報知音Ｓ４の「ピ」を発生させる図７（Ｃ）のパルス信号を１回だけ出力する。
【００５２】
この場合、「ピ」の報知音を１回だけ報知するだけであるため、使用者に対してうるささを感じることを抑えることができる。
【００５３】
図９、図１２、図１３において、メニュー・設定ボタン１６を回して１クリック毎に別のメニューが選択されたときに制御部７１は、ブザー報知部７４に対して図８の報知音Ｓ１の「ピッ」を発生させる図７（Ａ）の短いパルス信号を１回だけ出力する。この場合は、特定の報知とは異なる報知時間の短い報知を行うことにより、クリック数を数え易く、クリック数によりどのメニューが選択された状態かを認識することが可能となる。
【００５４】
図１６、図１７は、図１４、図１５の加熱条件設定時の１段階目の表示から、メニュー・設定ボタン１６を操作して２段階目の加熱条件設定が変更された状態の表示例を示している。
【００５５】
図１６の1-1-1-1は、メニュー・設定ボタン１６を回して［手動設定］の［レンジ］の［６００Ｗ］の加熱時間［１０秒］を設定しているときの表示である。図１６の1-1-1-1は、メニュー・設定ボタン１６をさらに回すことで、図１６の1-1-1-2に示すように時間を変更でき、変更された時間は、右の部分に表示される。図１７の1-5-1-1は、［手動設定］の［石窯オーブン］［１８０℃］の加熱時間を設定しているときの表示である。メニュー・設定ボタン１６を回すことで、図１７の1-5-1-2に示すように時間を変更することができる。
【００５６】
図１６の1-1-1-2は、メニュー・設定ボタン１６を回して［手動設定］の［レンジ］の［６００Ｗ］の加熱時間［２０秒］を設定しているときの表示である。［手動設定］の［レンジ］の［６００Ｗ］の場合は、時間設定の最小値は０秒で、最大値は１５分００秒になっており、１５分００秒が選択された状態ではさらにメニュー・設定ボタン１６をさらに時計方向に回した場合には時間は変更されない。
【００５７】
［手動設定］の［石窯オーブン］の場合は、［時間設定］の最小値は０秒で、最大値は９０分で、同様に最大値が選択された状態ではさらにメニュー・設定ボタン１６をさらに時計方向に回した場合には時間は変更されない。また、最小値の０秒が選択された状態ではさらにメニュー・設定ボタン１６をさらに反時計方向に回した場合には時間は変更されない。
【００５８】
このように、最小値または最大値に到達したときに制御部７１は、図８の報知音Ｓ５の「ピー」を発生させる図７（Ｃ）のパルス信号を１回だけ出力する。
【００５９】
さらに、図１１の温度設定の場合は、最小値は１００℃で最大値は３５０℃であり、時間の設定と同様に、最小値と最大値に到達したときにも制御部７１は、図８の報知音Ｓ５の「ピー」を発生させる図７（Ｃ）のパルス信号を１回だけ出力する。
【００６０】
最初のメニューに戻った場合の特定の報知音としては、図８の報知音Ｓ２の「ピロロ」を１回発生させる、最小値または最大値に到達したときの特定の報知音としては、図８の報知音Ｓ５の「ピ−」を１回発生させる。
【００６１】
最小値または最大値に到達したときの特定の報知を、最初のメニューに戻った場合に特定の報知と異ならせた場合は、手動の設定いなのか自動の設定なのか区別しやすいものとなる。
【００６２】
取消キー１８を例えば３秒間押し続けた後に、スタートキー１７を押すと、特定の報知音を鳴らさない設定に変更することが可能となっている。この設定は、電源が切られてもデータが保持される制御部７１内の不揮発性メモリに記憶され、次回電源を投入されたときも、不揮発性メモリ内のデータを読み込み、特定の報知音を鳴らすかどうかの設定状態を設定する。鳴らさない設定の状態のときに、同じ操作を行うと特定の報知音を鳴らす設定に戻すことができる。特定の報知音の有無設定は、専用のキーを設けることなく、通常の加熱状態を設定する段階では使用しない操作を行うことで実現している。
【００６３】
この場合、プログラム上で処理できることから、コストアップすることなく、不要とする使用者に対しても簡単に対応可能となる。
【００６４】
この発明は、上記した実施形態に限定されるものではなく、調理条件を設定するための加熱条件設定手段であるメニュー・設定ボタン１６は、選択は時計または反時計方向に回動操作し、決定は押圧操作する機能のものを使用したが、回転操作のみで調理条件を設定してもよく、選択キーと決定キーをそれぞれ別の位置に配置しても用いても構わない。
【００６５】
この発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６６】
１０  加熱調理器
１２  本体
１４  操作パネル
１５  表示器
１６  メニュー・設定ボタン
１７  調理スタートキー１７
１８  取消キー
１９  自動調理表示器
７１  制御部
７２  マイクロ波加熱部
７３  ヒータ加熱部
７４  ブザー報知部
【図１】
2012042179.tif 000003
【図２】
2012042179.tif 000004
【図３】
2012042179.tif 000005
【図４】
2012042179.tif 000006
【図５】
2012042179.tif 000007
【図６】
2012042179.tif 000008
【図７】
2012042179.tif 000009
【図８】
2012042179.tif 000010
【図９】
2012042179.tif 000011
【図１０】
2012042179.tif 000012
【図１１】
2012042179.tif 000013
【図１２】
2012042179.tif 000014
【図１３】
2012042179.tif 000015
【図１４】
2012042179.tif 000016
【図１５】
2012042179.tif 000017
【図１６】
2012042179.tif 000018
【図１７】
2012042179.tif 000019